(57)【要約】  光ディスクの再生に必要な情報を取得するための所要時間を短縮することを可能とする最終領域検索装置、情報再生装置、最終領域検索方法、最終領域検索処理プログラムを提供する。  システム制御部６は、光ディスクＤの最終領域を検索したときに、当該領域の開始アドレス等をフラッシュメモリ５に記憶しておき、再び光ディスクＤが挿入されて新たに最終領域を検索するときに、前回検索された最終領域が当該光ディスクＤ上に存在するか否かを、フラッシュメモリ５に記憶された最終領域の開始アドレスに基づいて判定し、前回検索された最終領域が当該光ディスクＤ上に存在すると判定したときには、次領域の開始アドレス等の取得を、前回検索された最終領域から開始して、最終領域を検索する。
2007074618.tif 000002
【特許請求の範囲】
【請求項１】
複数の情報を当該情報ごとに領域を分けて記録媒体に追記録可能な記録方法であって、各前記領域にその次に情報が記録された前記領域の位置を示す次領域位置情報を記録する記録方法により情報が記録された記録媒体から記録情報の再生に必要な情報を当該記録媒体から取得する取得手段を備え、前記記録媒体に最後に情報が記録された前記領域である最終領域を検索する最終領域検索装置において、
前記取得手段による前記次領域位置情報の取得を、前記記録媒体について最初に情報が記録された前記領域から開始させて、次に情報が記録された前記領域の位置を順次特定することにより、前記最終領域を検索する検索手段と、
前記検索された最終領域の位置を示す最終領域位置情報を少なくとも記憶する記憶手段と、
前記検索手段により新たに前記最終領域を検索するとき、当該新たに検索される前記記録媒体に、前記検索された最終領域が存在するか否かを、前記記憶された最終領域位置情報に基づいて判定する最終領域存在判定手段と、を備え、
前記検索された最終領域が存在すると前記最終領域存在判定手段により判定されたとき、前記検索手段は、前記取得手段による前記次領域位置情報の取得を当該最終領域から開始させることにより、前記新たに最終領域を検索することを特徴とする最終領域検索装置。
【請求項２】
請求項１に記載の最終領域検索装置において、
前記最終領域には、当該最終領域が存在することを示す存在表示情報が記録されており、
前記最終領域存在判定手段は、前記最終領域が検索された前記記録媒体に前記存在表示情報が記録された位置を、前記記憶された最終領域位置情報に基づいて特定し、前記新たに最終領域が検索される記録媒体上における当該特定された位置に記録された情報に基づいて、前記最終領域が存在するか否かを判定することを特徴とする最終領域検索装置。
【請求項３】
請求項１に記載の最終領域検索装置において、
前記記録媒体には、当該記録媒体を識別するための識別情報が記録されており、
前記記憶手段は、前記最終領域が検索された前記記録媒体の前記識別情報を、当該記録媒体の前記最終領域位置情報と対応付けて記憶し、
前記新たに最終領域が検索される記録媒体に記録された前記識別情報が前記記憶手段に記憶されているか否かを判定する識別情報判定手段と、を備え、
前記識別情報が前記記憶手段に記憶されていると前記識別情報判定手段により判定されたとき、前記最終領域存在判定手段は、当該識別情報と対応付けて記憶された前記最終領域位置情報に基づいて、前記検索された最終領域が存在するか否かを判定することを特徴とする最終領域検索装置。
【請求項４】
請求項１に記載の最終領域検索装置と、
前記取得された情報に基づいて前記記録媒体から記録情報を再生する制御を行う再生制御手段と、
を備えることを特徴とする情報再生装置。
【請求項５】
複数の情報を当該情報ごとに領域を分けて記録媒体に追記録可能な記録方法であって、各前記領域にその次に情報が記録された前記領域の位置を示す次領域位置情報を記録する記録方法により情報が記録された記録媒体から記録情報の再生に必要な情報を当該記録媒体から取得する取得手段と、前記取得された情報に基づいて前記記録媒体から記録情報を再生する制御を行う再生制御手段を備え、前記記録媒体に最後に情報が記録された前記領域である最終領域を検索する最終領域検索装置における最終領域検索方法であって、
前記取得手段による前記次領域位置情報の取得を、前記記録媒体について最初に情報が記録された前記領域から開始させて、次に情報が記録された前記領域の位置を順次特定することにより、前記最終領域を検索する第１検索工程と、
前記検索された最終領域の位置を示す最終領域位置情報を少なくとも記憶する記憶工程と、
新たに前記最終領域を検索するとき、当該新たに検索される前記記録媒体に、前記検索された最終領域が存在するか否かを、前記記憶された最終領域位置情報に基づいて判定する最終領域存在判定工程と、
前記検索された最終領域が存在すると前記最終領域存在判定工程において判定されたとき、前記取得手段による前記次領域位置情報の取得を当該最終領域から開始させることにより、前記新たに最終領域を検索する第２検索工程と、
を備えることを特徴とする最終領域検索方法。
【請求項６】
複数の情報を当該情報ごとに領域を分けて記録媒体に追記録可能な記録方法であって、各前記領域にその次に情報が記録された前記領域の位置を示す次領域位置情報を記録する記録方法により情報が記録された記録媒体から記録情報の再生に必要な情報を当該記録媒体から取得する取得手段を備え、前記記録媒体に最後に情報が記録された前記領域である最終領域を検索する最終領域検索装置に含まれるコンピュータを、
前記取得手段による前記次領域位置情報の取得を、前記記録媒体について最初に情報が記録された前記領域から開始させて、次に情報が記録された前記領域の位置を順次特定することにより、前記最終領域を検索する検索手段、
前記検索された最終領域の位置を示す最終領域位置情報を少なくとも記憶する記憶手段、
前記検索手段により新たに前記最終領域を検索するとき、当該新たに検索される前記記録媒体に、前記検索された最終領域が存在するか否かを、前記記憶された最終領域位置情報に基づいて判定する最終領域存在判定手段、として機能させ、
前記検索された最終領域が存在すると前記最終領域存在判定手段により判定されたとき、前記検索手段は、前記取得手段による前記次領域位置情報の取得を当該最終領域から開始させることにより、前記新たに最終領域を検索することを特徴とする最終領域検索処理プログラム。
【発明の詳細な説明】
【技術分野】
【０００１】
本願は、複数の情報を当該情報ごとに領域を分けて記録媒体に追記録可能な記録方法であって、各前記領域にその次に情報が記録された前記領域の位置を示す次領域位置情報を記録する記録方法により情報が記録された記録媒体から、最後に情報が記録された領域を検索する最終領域検索装置、情報再生装置、最終領域検索方法、最終領域検索処理プログラムの技術分野に関する。
【背景技術】
【０００２】
現在、ＣＤ（Compact Disc）やＤＶＤ（Digital Versatile Disc）といった記録媒体の分野においては、例えば、ＣＤ−Ｒ，ＲＷ、あるいはＤＶＤ±Ｒ，ＲＷなどの、情報を光学的に記録することができる光ディスクが一般的に普及するに至っている。【０００３】
かかる光ディスクに対する記録方式の一つとして、一度データを記録した後も、その光ディスクに空き領域があれば、新たに情報を追記録することができるインクリメンタルライトと呼ばれる記録方式が、各方面で規格化されている。【０００４】
例えば、ＤＶＤフォーラムにより規格化されたマルチボーダー方式の場合は、ボーダーインエリア、ユーザデータエリア、及びボーダーアウトエリアの３つの要素で、一つの情報を表すボーダー（領域）が構成され、各ボーダーごと、に光ディスク（この場合は、ＤＶＤ−Ｒ、ＤＶＤ−ＲＷである）に対して情報が記録される。【０００５】
このようにして情報が記録された光ディスクから、情報再生装置により全ての記録情報を再生することができるようにするためには、少なくともファイルシステム情報（ユーザデータエリアに記録されたファイルやディレクトリのアドレス情報等が含まれる）を取得する必要がある。【０００６】
これらの情報を取得する従来の方法としては、例えば、特許文献１にも開示されているように、はじめにリードインエリアのエキストラボーダーエリアに記録されている制御情報を取得し、当該制御情報に含まれる次のボーダーのボーダーイン開始アドレスを手がかりとして、２番目のボーダーの制御情報を取得する。そして、また、次のボーダーのボーダーイン開始アドレスを手がかりとして３番目のボーダーの制御情報を取得する、といったように、各ボーダーの位置を順次特定していき、最終ボーダーが検索されることにより、当該最終ボーダーのボーダーインエリアに記録されたファイルシステム情報を取得することができるようになっている。【０００７】
また、再生方法等によっては、各ボーダーのボーダーイン開始アドレスやボーダーアウト開始アドレス等を取得しなければならない場合もあるが、これらの情報は、上述の最終ボーダーを検索する過程において、各ボーダーのボーダーインに記録された制御情報等から取得することができる。【０００８】
なお、マルチセッション方式で記録されたＣＤ−Ｒ，ＲＷや、ＤＶＤ＋Ｒ，ＲＷ等の場合も、基本的には上記と同様の方法で、再生に必要な情報を取得している。
【特許文献１】特開２００５−７１４８５号公報
【発明の開示】
【発明が解決しようとする課題】
【０００９】
しかしながら、上述した従来の方法では、光ディスクを情報再生装置に挿入するたびに、当該光ディスクの全ての領域をアクセスしなければならず、光ディスクに形成されている領域数が多くなるほど、光ディスクの再生に必要な情報を取得するための所要時間が長くなり、このことによって、光ディスクの再生が可能となるまでの待ち時間が長くなるという問題がある。【００１０】
本願は、以上の点に鑑みてなされたものであり、その課題の一例は、光ディスクの再生に必要な情報を取得するための所要時間を短縮することを可能とする最終領域検索装置、情報再生装置、最終領域検索方法、最終領域検索処理プログラムを提供することにある。
【課題を解決するための手段】
【００１１】
上記課題を解決するために、本願の一つの観点では複数の情報を当該情報ごとに領域を分けて記録媒体に追記録可能な記録方法であって、各前記領域にその次に情報が記録された前記領域の位置を示す次領域位置情報を記録する記録方法により情報が記録された記録媒体から記録情報の再生に必要な情報を当該記録媒体から取得する取得手段を備え、前記記録媒体に最後に情報が記録された前記領域である最終領域を検索する最終領域検索装置において、前記取得手段による前記次領域位置情報の取得を、前記記録媒体について最初に情報が記録された前記領域から開始させて、次に情報が記録された前記領域の位置を順次特定することにより、前記最終領域を検索する検索手段と、前記検索された最終領域の位置を示す最終領域位置情報を少なくとも記憶する記憶手段と、前記検索手段により新たに前記最終領域を検索するとき、当該新たに検索される前記記録媒体に、前記検索された最終領域が存在するか否かを、前記記憶された最終領域位置情報に基づいて判定する最終領域存在判定手段と、を備え、前記検索された最終領域が存在すると前記最終領域存在判定手段により判定されたとき、前記検索手段は、前記取得手段による前記次領域位置情報の取得を当該最終領域から開始させることにより、前記新たに最終領域を検索することを特徴とする。【００１２】
本願の他の観点では、前記最終領域検索装置と、前記取得された情報に基づいて前記記録媒体から記録情報を再生する制御を行う再生制御手段と、を備えることを特徴とする。【００１３】
本願の更に他の観点では、複数の情報を当該情報ごとに領域を分けて記録媒体に追記録可能な記録方法であって、各前記領域にその次に情報が記録された前記領域の位置を示す次領域位置情報を記録する記録方法により情報が記録された記録媒体から記録情報の再生に必要な情報を当該記録媒体から取得する取得手段と、前記取得された情報に基づいて前記記録媒体から記録情報を再生する制御を行う再生制御手段を備え、前記記録媒体に最後に情報が記録された前記領域である最終領域を検索する最終領域検索装置における最終領域検索方法であって、前記取得手段による前記次領域位置情報の取得を、前記記録媒体について最初に情報が記録された前記領域から開始させて、次に情報が記録された前記領域の位置を順次特定することにより、前記最終領域を検索する第１検索工程と、前記検索された最終領域の位置を示す最終領域位置情報を少なくとも記憶する記憶工程と、新たに前記最終領域を検索するとき、当該新たに検索される前記記録媒体に、前記検索された最終領域が存在するか否かを、前記記憶された最終領域位置情報に基づいて判定する最終領域存在判定工程と、前記検索された最終領域が存在すると前記最終領域存在判定工程において判定されたとき、前記取得手段による前記次領域位置情報の取得を当該最終領域から開始させることにより、前記新たに最終領域を検索する第２検索工程と、を備えることを特徴とする。【００１４】
本願の更に他の観点では、複数の情報を当該情報ごとに領域を分けて記録媒体に追記録可能な記録方法であって、各前記領域にその次に情報が記録された前記領域の位置を示す次領域位置情報を記録する記録方法により情報が記録された記録媒体から記録情報の再生に必要な情報を当該記録媒体から取得する取得手段を備え、前記記録媒体に最後に情報が記録された前記領域である最終領域を検索する最終領域検索装置に含まれるコンピュータを、前記取得手段による前記次領域位置情報の取得を、前記記録媒体について最初に情報が記録された前記領域から開始させて、次に情報が記録された前記領域の位置を順次特定することにより、前記最終領域を検索する検索手段、前記検索された最終領域の位置を示す最終領域位置情報を少なくとも記憶する記憶手段、前記検索手段により新たに前記最終領域を検索するとき、当該新たに検索される前記記録媒体に、前記検索された最終領域が存在するか否かを、前記記憶された最終領域位置情報に基づいて判定する最終領域存在判定手段、として機能させ、前記検索された最終領域が存在すると前記最終領域存在判定手段により判定されたとき、前記検索手段は、前記取得手段による前記次領域位置情報の取得を当該最終領域から開始させることにより、前記新たに最終領域を検索することを特徴とする。
【図面の簡単な説明】
【００１５】
【図１】本実施形態に係る光ディスク再生装置の概要構成の一例を示すブロック図である。
【図２】本実施形態に係るフラッシュメモリ５に記憶される情報の概要構成の一例を示す図である。
【図３】本実施形態に係る光ディスク再生装置Ｓのシステム制御部６による最終領域検索処理の一例を示すフローチャートである。
【図４】本実施形態に係る光ディスク再生装置Ｓのシステム制御部６による最終領域検索処理の一例を示すフローチャートである。
【図５】最終領域を検索するまでの様子の一例を示す図であり、（ａ）は従来の場合であり、（ｂ）は本実施形態の場合である。
【符号の説明】
【００１６】
１  スピンドルモータ
２  ピックアップ
３  サーボ回路
４  情報再生部
５  フラッシュメモリ
６  システム制御部
Ｓ  光ディスク再生装置
Ｄ  光ディスク
【発明を実施するための最良の形態】
【００１７】
以下、図面を参照して本願の最良の実施形態について詳細に説明する。なお、以下に説明する実施の形態は、インクリメンタルライト記録方式の一例であるマルチボーダー方式により記録されたＤＶＤ−Ｒ、ＤＶＤ−ＲＷ及びマルチセッション方式により記録されたＣＤ−Ｒ、ＣＲ−ＲＷに対応した光ディスク再生装置に対して本願を適用した場合の実施形態である。
［１．光ディスク再生装置の構成及び機能概要］
先ず、本実施形態に係る光ディスク再生装置の構成及び機能について、図１及び図２を用いて説明する。【００１８】
図１は、本実施形態に係る光ディスク再生装置の概要構成の一例を示すブロック図である。【００１９】
図１に示すように、光ディスク再生装置Ｓは、スピンドルモータ１と、ピックアップ２と、サーボ回路３と、情報再生部４と、フラッシュメモリ５と、システム制御部６を含んで構成されている。光ディスクＤは、光ディスク再生装置Ｓに備えられた図示せぬ装填機構におけるトレイに装填されるか、若しくは図示せぬ回動ローラによって搬送されることで装置Ｓ内に挿入されるようになっている。【００２０】
スピンドルモータ１は、図示しないターンテーブル上における所定のクランプ位置に載置された光ディスクＤを回転させるようになっている。【００２１】
ピックアップ２は、図示せぬ半導体レーザ素子により光ビームを光ディスクＤに照射し、その反射光を光センサにて検出し、その検出信号をサーボ回路３及び情報再生部４に出力するようになっている。この半導体レーザ素子は、ＤＶＤ用として６５０ｎｍの波長の光ビームを発射するＤＶＤ用レーザ素子と、ＣＤ用として７８０ｎｍの波長の光ビームを発射するＣＤ用レーザ素子とから構成されており、これらの素子は、システム制御部６により制御される図示しない駆動回路からの駆動電流により光ビームを発射するようになっている。また、ピックアップ２は、図示せぬ対物レンズを光軸方向に移動させるフォーカシング部分と、当該対物レンズを光軸に垂直なディスク半径方向に移動させるトラッキング部分とからなるアクチュエータが備えられている。【００２２】
サーボ回路３は、システム制御部６の制御の下、ピックアップ２から出力された検出信号に基づき、トラッキングエラー信号及びフォーカスエラー信号を生成し、これらの信号に基づいてスピンドルモータ１及びピックアップ２をサーボ制御、即ち、光ディスクＤの速度やピックアップ２におけるトラッキング位置、光ビームのフォーカス位置等を閉回路ループを形成することにより制御するようになっている。また、サーボ回路３は、生成したトラッキングエラー信号を２値化して、その２値化信号をシステム制御部６に供給するようになっている。【００２３】
情報再生部４は、システム制御部６の制御の下、ピックアップ２から出力された検出信号をＲＦ（Radio Frequency）アンプにてＲＦ信号に変換し、２値化した後、復調処理及び誤り訂正処理等を施すことにより光ディスクＤの記録情報（データ）を復元する。そして、情報再生部４は、復元された 記録情報（映像データ、オーディオデータ、及びコンピュータプログラム、データ等）に対して復号処理を施すことにより記録情報の再生を行うようになっている。再生された記録情報のうち、映像データは図示せぬ描画処理回路を介してディスプレイに出力され、音声データは図示せぬ音声処理回路を介してスピーカに出力され、コンピュータプログラム、後述する制御情報、ＴＯＣ（Table Of Contents）情報等は、システム制御部６に出力される。【００２４】
フラッシュメモリ５は、各種設定やデータ等を記憶保持する不揮発性のメモリである。【００２５】
図２は、本実施形態に係るフラッシュメモリ５に記憶される情報の概要構成の一例を示す図である。【００２６】
図２に示すように、フラッシュメモリ５には、マルチボーダー方式で記録されたＤＶＤ−ＲまたはＤＶＤ−ＲＷ（以下、マルチボーダーＤＶＤと称する）のボーダー情報と当該光ディスクの識別情報とが対応付けられて複数記憶されている。また、フラッシュメモリ５には、マルチセッション方式で記録されたＣＤ−ＲまたはＣＤ−ＲＷ（以下、マルチセッションＣＤと称する）のセッション情報と当該光ディスクの識別情報とが対応付けられて複数記憶されている。【００２７】
ボーダー情報及びセッション情報は、夫々光ディスクＤから記録情報を再生するためにシステム制御部６が参照する情報である。また、識別情報は、光ディスクＤのボーダー情報及びセッション情報を当該光ディスクと紐付けするために、当該光ディスクＤを識別すする情報である。これらの情報は、光ディスクＤを光ディスク再生装置Ｓに挿入したときに、システム制御部６により取得されるようになっている。【００２８】
光ディスクＤがマルチボーダーＤＶＤである場合、当該光ディスクＤには、上述したようにボーダーインエリア、ユーザデータエリア、及びボーダーアウトエリアから構成されたボーダー（領域の一例）が複数形成されている。そして、各ボーダーのボーダーインエリアには、当該ボーダーのボーダーアウト開始アドレス、次ボーダーのボーダーイン開始アドレス（次領域位置情報の一例）等が、制御情報として記録されている。また、最終ボーダーのボーダーインエリアには、当該光ディスクＤの最新のファイルシステム情報が記録されている。【００２９】
このような構造の光ディスクＤから記録情報を再生するための情報としては、例えば、各ボーダーのボーダーイン開始アドレス、ボーダーアウト開始アドレス、ユーザデータエリアのサイズ、全ボーダー数、ファイルシステム等があり、これらの情報は、各ボーダーインエリアに記録された情報を基にフラッシュメモリ５に記憶されるようになっている。【００３０】
なお、再生方法等にもよるが、ファイルシステム情報を取得することができれば、基本的には光ディスクＤの記録情報を再生することができる。また、後述するように光ディスク再生装置Ｓは、光ディスクＤが新たに挿入される都度、当該光ディスクＤのリードインエリアに記録された情報と前回挿入時における最終ボーダーのボーダーインエリアに記録された情報は必ず取得するようになっている。従って、フラッシュメモリ５には、最終ボーダーのボーダーイン開始アドレスが最低限記憶されていれば良い。【００３１】
また、上記光ディスクＤの識別情報としては、例えば、１番目のユーザデータエリアに記録されている当該１番目のボーダーのファイル構造を示す情報（最新のファイルシステム情報に含まれている）等を適用することができるが、これに限られるものではない。【００３２】
光ディスクＤがマルチセッションＣＤである場合、当該光ディスクＤには、リードインエリア、プログラムエリア及びリードアウトエリアの３つの要素から構成されたセッション（領域の一例）が複数形成されている。そして、各セッションのリードインエリアには、自セッションに記録されているトラックのトラック番号、当該トラックの開始時間、ＲＯＭトラックであるか否かを示すフラグ情報、当該セッションのリードアウト開始時間等が、ＴＯＣ情報として記録されている。【００３３】
このような構造の光ディスクＤから記録情報を再生するための情報としては、例えば、各セッションのトラック番号、当該トラックの開始時間、ＲＯＭトラックであるか否かを示すフラグ情報、各セッションのリードアウト開始時間等があり、これらの情報は、ＴＯＣ情報を基にフラッシュメモリ５に記憶されるようになっている。【００３４】
また、上記光ディスクＤの識別情報としては、例えば、１番目のセッション（最初に情報が記録された領域の一例）のリードインエリアのＴＯＣ情報に含まれるトラックの開始時間等を適用することができるが、これに限られるものではない。【００３５】
なお、フラッシュメモリ５に記憶されるボーダー情報またはセッション情報の内容は上記した情報に限られるものではなく、再生方法等によって変わるものである。また、フラッシュメモリ５に記憶される識別情報は、光ディスクＤを識別することができるような情報であれば良いのであるから、例えば、複数箇所に分散した情報の組み合わせにより構成されていても良いが、光ディスクＤに対するアクセス回数を減らすためには、全ての情報がリードインに記録されていることが望ましい。また、識別情報がボーダー情報またはセッション情報に含まれているのであれば、フラッシュメモリ５に、識別情報用の領域を別に設ける必要は無い。【００３６】
システム制御部６は、演算処理機能を有するＣＰＵ(Central Processing Unit)、各種プログラム（例えば、最終領域検索処理用プログラム等が含まれ、当該プログラムはインターネット等のネットワークを介してサーバからダウンロードされても良いし、光ディスクＤ等の記録媒体に記録されて提供されるようにしても良い。）及びデータ等を記憶するＲＯＭ（Read-Only Memory）、作業用ＲＡＭ（Random-Access Memory）、等を含んで構成されており、ＣＰＵがプログラムを実行することにより、システム制御部６は、取得手段、記憶手段、検索手段、最終領域存在判定手段、識別情報判定手段等として機能するようになっている。【００３７】
具体的に、取得手段としてのシステム制御部６は、光ディスクＤの種類に応じて再生に必要な情報（例えば、上述した制御情報、ファイルシステム情報、ＴＯＣ情報等）と識別情報とを当該光ディスクＤから取得し、ＲＡＭに記憶するようになっている。そして、記憶手段としてのシステム制御部６は、ＲＡＭに記憶された光ディスクＤの再生に必要な情報の全部または一部をボーダー情報またはセッション情報として、その識別情報と対応付けてフラッシュメモリ５に記憶するようになっている。【００３８】
また、検索手段としてのシステム制御部６は、光ディスクＤがマルチボーダーＤＶＤである場合は、制御情報等の取得を１番目のボーダー（最初に情報が記録された領域）から開始させ、当該制御情報に含まれる次ボーダーのボーダーイン開始アドレスにより各ボーダーの位置を次々と特定していくことで、最終ボーダーを検索するようになっている。光ディスクＤがマルチセッションＣＤである場合、システム制御部６は、ＴＯＣ情報等の取得を１番目のセッションから開始し、当該ＴＯＣ情報に含まれる当該セッションのリードアウト開始時間に基づいて次セッションのリードイン開始時間を特定することにより各セッションの位置を次々と特定していくことで、最終セッションを検索するようになっている（ＴＯＣ情報に含まれる当該セッションのリードアウト開始時間は、こうした意義を有することから、次領域位置情報の一例に該当する）。【００３９】
また、識別情報判定手段としてのシステム制御部６は、光ディスクＤが挿入され、新たに最終領域（最終ボーダーまたは最終セッション）の検索を行うときに、当該光ディスクＤから取得された識別情報と、フラッシュメモリ５に記憶された識別情報とを比較することにより、光ディスクＤから取得された識別情報がフラッシュメモリ５に記憶されているか否かを判定するようになっている。【００４０】
また、最終領域存在判定手段としてのシステム制御部６は、前回検索時の最終領域が、新たに挿入された光ディスクＤ上に存在するか否かを、当該光ディスクＤの識別情報に対応してフラッシュメモリ５に記憶された最終領域の位置情報（ボーダー情報として記憶された最終ボーダーのボーダーイン開始アドレス、または、セッション情報として記憶された最終セッションのリードイン開始時間）に基づいて特定される存在表示情報を検証することにより判定する。【００４１】
例えば、光ディスクＤがマルチボーダーＤＶＤである場合は、リードインエリアのコントロールデータゾーンには、１番目のボーダーのユーザデータ開始アドレスが記録されている。また、各ボーダーのボーダーインエリアの所定位置にも、１番目のボーダーのユーザデータ開始アドレスのコピーが記録されるようになっている。【００４２】
そうすると、新たに挿入された光ディスクＤ上に前回検索時の最終ボーダーが存在するのであれば、フラッシュメモリ５に記憶されている最終ボーダーのボーダーイン開始アドレスから特定することができる光ディスクＤ上の上記コピーの位置に記録された情報と、コントロールデータゾーンに記録された上記開始アドレスとは一致し、前回検索時の最終ボーダーが存在しないのであれば、一致しないはずである。【００４３】
従って、上記コピーは、最終ボーダーが光ディスクＤ上に現に存在していることを示す情報、つまり存在表示情報の一例といえるから、新たに挿入された光ディスクＤから、コントロールデータゾーンに記録された上記開始アドレスと、フラッシュメモリ５に記憶されている最終ボーダーのボーダーイン開始アドレスに基づいて特定される上記コピーの位置に記録された情報とを取得し、これらを比較することによって、前回検索時の最終領域が光ディスクＤ上に存在するか否かを判定することができる。【００４４】
ここで、判定方法としては、新たに挿入された光ディスクＤから両方の情報を取得するのではなく、例えば、上記開始アドレスをボーダー情報に含めてフラッシュメモリ５に記憶させておき、当該記憶された開始アドレスと、新たに挿入された光ディスクＤから取得した上記コピーとを比較しても良いし、当該コピーをボーダー情報に含めてフラッシュメモリ５に記憶させておき、当該記憶されたコピーと、新たに挿入された光ディスクＤから取得した上記コピーとを比較しても良い。【００４５】
また、存在表示情報としては、上記コピー以外にも、例えば、最終ボーダーのボーダーインエリアに記録されている最終ボーダーのユーザデータエリアの最終アドレス等を適用しても良い。この場合は、当該最終アドレスをフラッシュメモリ５に記憶させておき、当該記憶された最終アドレスと、新たに挿入された光ディスクＤから取得した最終アドレスとを比較することになる。【００４６】
光ディスクＤがマルチセッションＣＤである場合は、存在表示情報を、例えば、最終セッションに記録されているトラックの番号及び当該トラックの開始時間の組み合わせ等に適用することができ、この場合は、当該番号及び開始時間をセッション情報に含めてフラッシュメモリ５に記憶させておき、当該記憶された番号及び開始時間と、新たに挿入された光ディスクＤから取得した番号及び開始時間とを比較することになる。【００４７】
そして、前回検索時の最終領域が、新たに挿入された光ディスクＤ上に存在する場合、システム制御部６は、検索手段として、前回検索時の最終領域から新たに最終領域の検索を行うようになっている。このように、途中の領域から最終領域の検索を行うこととしているのは以下の理由による。【００４８】
光ディスクＤがインクリメンタルライトにより記録された光ディスクであれば、当該ディスクは、その規格上、前回と全く同じ情報が記録されているか、または、前回検索時の最終領域の外周側に新たな情報が追記録されるか、あるいは、全情報が削除されて別の情報が記録されているかのいずれかの記録状態となっており、一部の領域のみが削除されることはない。従って、前回検索時の最終領域が、新たに挿入された光ディスクＤ上に存在する場合は、少なくとも１番目の領域から前回検索時の最終領域までに記録された情報に変動はないのであるから、当該最終領域より外周に形成された領域から記録情報を再生するために必要な情報さえ取得することができれば、後は、フラッシュメモリ５に記憶されている情報を基に、光ディスクＤに記録された全ての情報を再生することができるのである。また、最終領域に記録されている情報さえ取得することができれば光ディスクＤの再生が可能となるケースもあるが（例えば、マルチボーダーＤＶＤにおけるファイルシステム情報等）、この場合は、最終領域さえ検索することができれば、途中の領域の情報は基本的に不要である。【００４９】
そこで、本実施形態においては、光ディスクＤに対するアクセス回数を減らすことで、光ディスクの再生に必要な情報を取得するための所要時間（主にピックアップ２による所望トラックのシーク動作等に費やされる）を削減することとしたのである。【００５０】
再生制御手段としてのシステム制御部６は、ＲＡＭに記録された再生に必要な情報に基づいて光ディスクＤから記録情報を再生する制御を行うようになっている。 なお、システム制御部６は、記録情報の再生制御に当たって、上記光ディスクＤの種類若しくは再生に必要な情報に従って最適な再生設定（再生に必要な調整）を行うことになる。ここで、再生設定とは、スピンドルモータ１、ピックアップ２、サーボ回路３、及び情報再生部４における各種定数、パラメータ等の設定のことをいい、例えば、フォーカス調整、トラッキング調整、ＲＦアンプのイコライジング係数、トラックピッチの差異に応じたトラッキングエラー信号の調整係数、サーボゲイン、ＰＬＬ設定、エラー訂正方式、及びＣＤ−ＲＯＭデコード方式などの設定がある。
［２．光ディスク再生装置の動作］
次に、光ディスク再生装置Ｓの動作を、図３乃至図５を用いて説明する。【００５１】
図３及び図４は、本実施形態に係る光ディスク再生装置Ｓのシステム制御部６による最終領域検索処理の一例を示すフローチャートである。【００５２】
先ず、ユーザにより光ディスク再生装置Ｓの装填機構に光ディスクＤが装填され装置Ｓ内に挿入されると、図３に示すように、システム制御部６はこれを認識し、光ディスクＤの判別処理を実行する（ステップＳ１０）。【００５３】
例えば、システム制御部６は、ピックアップ２及びサーボ回路３に制御指令を与えることにより、ＣＤ用レーザ素子から光ビームを光ディスクＤに照射しつつディスク半径方向にトラック横切移動させ、そのトラック横切移動中においてサーボ回路３から供給されたトラッキングエラー信号の２値化信号（パルス）の数が規定値以上になった場合には光ディスクＤの種類をＣＤと判定し、当該規定値に達しない場合には光ディスクＤの種類をＤＶＤと判定する。【００５４】
そして、光ディスクＤがＤＶＤである場合、システム制御部６は、例えば、当該光ディスクのリードインエリアに記録された物理フォーマット情報等を取得し、当該情報に基づいて、ＤＶＤ−ＲＯＭ、ＤＶＤ−Ｒ、ＤＶＤ−ＲＷ、ＤＶＤ−ＲＡＭ等の媒体種別や、シングルボーダー、マルチボーダー、パケットライト等の種別を判別する。【００５５】
また、光ディスクＤがＣＤである場合、システム制御部６は、例えば、当該光ディスクの最内周のリードインエリアのＴＯＣ情報等を取得し、当該情報に基づいて、ＣＤ−ＤＡ、ＣＤ−ＲＯＭ、ＣＤ−Ｒ、ＣＤ−ＲＷ等の媒体種別や、シングルセッション、マルチセッション、パケットライト等の種別を判別する。【００５６】
次いで、システム制御部６は、光ディスクがマルチボーダーＤＶＤであるか否かを判定し（ステップＳ１１）、マルチボーダーＤＶＤではない場合は（ステップＳ１１：ＮＯ）、ステップＳ５１に移行し、マルチボーダーＤＶＤである場合は（ステップＳ１１：ＹＥＳ）、ステップＳ１２に移行する。【００５７】
次いで、システム制御部６は、フラッシュメモリ５にボーダー情報が記憶されているか否かを判定し（ステップＳ１２）、記憶されていない場合は（ステップＳ１２：ＮＯ）、通常の最終ボーダー検索処理を行い（ステップＳ１７）、記憶されている場合は（ステップＳ１２：ＹＥＳ）、ステップＳ１３に移行する。【００５８】
ステップＳ１３において、システム制御部６は、光ディスクＤから識別情報（例えば、１番目のボーダーのユーザデータエリアに記録されている１番目のボーダーのファイル構造を示す情報等）を取得し、フラッシュメモリ５に記憶されている識別情報と比較して、当該識別情報のいずれかと一致するか否かを判定し、一致する識別情報が無い場合は（ステップＳ１３：ＮＯ）、通常の最終ボーダー検索処理を行い（ステップＳ１７）、一致する識別情報がある場合は（ステップＳ１３：ＹＥＳ）、その識別情報に対応してフラッシュメモリ５に記憶されているボーダー情報を読み出し、当該ボーダー情報をＲＡＭ上に復元（コピー）する（ステップＳ１４）。【００５９】
次いで、システム制御部６は、前回検索時の最終ボーダーに記録された存在表示情報の検証処理を行う（ステップＳ１５）。具体的にシステム制御部６は、前回検索時の最終ボーダーのボーダーイン開始アドレスをＲＡＭ上に復元されたボーダー情報から取得し、当該取得された開始アドレスに基づいて存在表示情報（例えば、１番目のボーダーのボーダーイン開始アドレスのコピー等）が記録されているアドレスを特定し、光ディスクＤ上の当該アドレスから、存在表示情報に相当する情報を取得する。そして、当該情報と、ＲＡＭ上に記憶されている存在表示情報またはリードインに記録されている情報（例えば、１番目のボーダーのボーダーイン開始アドレス等）とを比較する。【００６０】
次いで、システム制御部６は、前回検索された最終ボーダーが存在するか否かを判定する（ステップＳ１６）。ここで、上記比較した結果、情報が一致しない場合は、最終ボーダーが存在しないと判定し（ステップＳ１６：ＮＯ）、通常の最終ボーダー検索処理を行い（ステップＳ１７）、一致する場合は、最終ボーダーが存在すると判定し（ステップＳ１６：ＹＥＳ）、ステップＳ１８に移行する。【００６１】
ステップＳ１７の通常の最終ボーダー検索処理において、システム制御部６は、エキストラボーダーエリアに記録されている制御情報等の内、光ディスクＤの再生に必要な情報（例えば、当該ボーダーのボーダーアウト開始アドレス、次ボーダーのボーダーイン開始アドレス等）を取得し、ボーダー情報としてＲＡＭに記憶する。そして、システム制御部６は、次ボーダーのボーダーイン開始アドレスに基づき、次ボーダーの制御情報等を取得し更にＲＡＭに記憶する。そして、システム制御部６は、こうした処理を繰り返して、最終ボーダーの制御情報及びファイルシステム情報等を取得し、ボーダー情報としてＲＡＭに記憶する。【００６２】
一方、ステップＳ１８において、システム制御部６は、前回の最終ボーダーに記録されている制御情報等の内、光ディスクＤの再生に必要な情報を取得し、ボーダー情報としてＲＡＭに記憶する。その後は、前回の最終ボーダーの次ボーダーからステップＳ１７と同様の処理を繰り返して、最終ボーダーの制御情報及びファイルシステム情報等を取得し、ボーダー情報としてＲＡＭに記憶する。【００６３】
最後に、システム制御部６は、光ディスクＤの識別情報をフラッシュメモリ５に記憶するとともに、ＲＡＭに記憶したボーダー情報を、当該識別情報に対応付けてフラッシュメモリ５に記憶する（ステップＳ１９）。ここでは、ＲＡＭに記憶されているボーダー情報を全て記憶しておくことが望ましいが、最低限、現在挿入されている光ディスクＤがまた新たに挿入されたときに、現在の最終ボーダー以降のボーダーのボーダーインエリアに記録されている情報を取得するだけで、当該光ディスクＤの記録情報を再生することができる程度の情報を、フラッシュメモリ５に記憶しておけば良い。【００６４】
そして、システム制御部６は、最終領域検索処理を終了して、ＲＡＭに記憶されたボーダー情報を基に光ディスクＤの再生制御を開始することとなる。【００６５】
ステップＳ１１の判定において、光ディスクＤがマルチボーダーＤＶＤではない場合（ステップＳ１１：ＮＯ）、図４に示すように、システム制御部６は、光ディスクＤがマルチセッションＣＤであるか否かを判定し、（ステップＳ５１）、マルチセッションＣＤではない場合は（ステップＳ５１：ＮＯ）、最終領域検索処理を終了し、マルチセッションＣＤである場合は（ステップＳ５１：ＹＥＳ）、ステップＳ５２に移行する。【００６６】
ステップＳ５２において、システム制御部６は、フラッシュメモリ５にセッション情報が記憶されているか否かを判定し、記憶されていない場合は（ステップＳ５２：ＮＯ）、通常の最終セッション検索処理を行い（ステップＳ５７）、記憶されている場合は（ステップＳ５２：ＹＥＳ）、ステップＳ５３に移行する。【００６７】
ステップＳ５３において、システム制御部６は、光ディスクＤから識別情報（例えば、１番目のセッションに記録されているトラックの開始時間等）を取得し、フラッシュメモリ５に記憶されている識別情報と比較して、当該識別情報のいずれかと一致するか否かを判定し、一致する識別情報が無い場合は（ステップＳ５３：ＮＯ）、通常の最終セッション検索処理を行い（ステップＳ５７）、一致する識別情報がある場合は（ステップＳ５３：ＹＥＳ）、その識別情報に対応してフラッシュメモリ５に記憶されているセッション情報を読み出し、当該セッション情報をＲＡＭ上に復元する（ステップＳ５４）。【００６８】
次いで、システム制御部６は、前回検索時の最終セッションに記録されていた存在表示情報の検証処理を行う（ステップＳ５５）。具体的にシステム制御部６は、前回検索時の最終セッションのリードイン開始時間をＲＡＭ上に復元されたセッション情報から取得し、当該取得された開始時間に基づいて存在表示情報（例えば、最終セッションに記録されているトラックの開始時間等）が記録されているアドレスを求め、光ディスクＤ上の当該アドレスから、存在表示情報に相当する情報を取得する。そして、当該情報と、ＲＡＭ上に記憶されている存在表示情報またはリードインに記録されている情報とを比較する。【００６９】
次いで、システム制御部６は、前回検索された最終セッションが存在するか否かを判定する（ステップＳ５６）。ここで、上記比較した結果、情報が一致しない場合は、最終セッションが存在しないと判定し（ステップＳ５６：ＮＯ）、通常の最終セッション検索処理を行い（ステップＳ５７）、一致する場合は、最終セッションが存在すると判定し（ステップＳ５６：ＹＥＳ）、ステップＳ５８に移行する。【００７０】
ステップＳ５７の通常の最終セッション検索処理において、システム制御部６は、１番目のセッションのリードインエリアに記録されているＴＯＣ情報等の内、光ディスクＤの再生に必要な情報（例えば、当該セッションに記録されているトラック番号、トラック開始時間、各セッションのリードアウト開始時間等）を取得し、セッション情報としてＲＡＭに記憶する。そして、システム制御部６は、各セッションのリードアウト開始時間に基づき次セッションのリードイン開始時間を特定して（リードアウトのおおよその期間は決まっているため、こうした特定が可能である）、次セッションのＴＯＣ情報等を取得し更にＲＡＭに記憶する。そして、システム制御部６は、こうした処理を繰り返して、最終セッションのＴＯＣ情報を取得し、セッション情報としてＲＡＭに記憶する。【００７１】
一方、ステップＳ５８において、システム制御部６は、前回の最終セッションに記録されている制御情報等の内、光ディスクＤの再生に必要な情報を取得し、セッション情報としてＲＡＭに記憶する。その後は、前回の最終セッションの次セッションからステップＳ５７と同様の処理を繰り返して、最終セッションのＴＯＣ情報等を取得し、セッション情報としてＲＡＭに記憶する。【００７２】
最後に、システム制御部６は、光ディスクＤの識別情報をフラッシュメモリ５に記憶するとともに、ＲＡＭに記憶したセッション情報を、当該識別情報に対応付けてフラッシュメモリ５に記憶する（ステップＳ５９）。ここでも、ＲＡＭに記憶されているセッション情報を全て記憶しておくことが望ましいが、最低限、現在挿入されている光ディスクＤがまた新たに挿入されたときに、現在の最終セッション以降のセッションのリード印に記録されている情報を取得するだけで、当該光ディスクＤの記録情報を再生することができる程度の情報を、フラッシュメモリ５に記憶しておけば良い。【００７３】
次に、従来の光ディスク再生装置による最終領域検索処理と、本実施形態に係る光ディスク再生装置Ｓによる最終領域検索処理との差異について説明する。【００７４】
図５は、最終領域を検索するまでの様子の一例を示す図であり、（ａ）は従来の場合であり、（ｂ）は本実施形態の場合である。【００７５】
図５の例においては、最初（１回目）に光ディスクが光ディスク装置に挿入されたときには、当該光ディスクには４個の領域が形成されているものとし、２回目に挿入されたときには、５個目からＮ個（Ｎ＞４）までの領域に情報が追記録されているものとして説明する。【００７６】
先ず、従来の光ディスク再生装置では、図５（ａ）に示すように、最初に光ディスクが挿入されたときには、１番目の領域から４番目の領域まで順番に、次領域の開始アドレス（例えば、ボーダーイン開始アドレス、リードイン開始時間等）等を取得していき、最後に、４番目の領域からファイルシステム情報等を取得する。そして、２回目に光ディスクが挿入されたときには、やはり、１番目の領域からＮ番目の領域まで順番に、次領域の開始アドレス等を取得していき、Ｎ番目の領域からファイルシステム情報等を取得する。【００７７】
このように、従来の光ディスク再生装置では、以前に再生を行った光ディスクであって、途中まで同じ情報が記録されている場合であっても、常に、１番目の領域から最終領域の検索を行う。【００７８】
一方、本願に係る光ディスク再生装置Ｓでは、図５（ｂ）に示すように、最初に光ディスクが挿入されたときには、リードインエリアに記録されている識別情報を取得し、従来の場合と同様に、１番目の領域から４番目の領域まで順番に、次領域の開始アドレス等を取得していき、最後に、４番目の領域からファイルシステム情報等を取得するが（図３のステップＳ１７、図４のステップＳ５７）、取得したこれらの情報の全部または一部をフラッシュメモリ５に記憶しておく（ステップＳ１９、Ｓ５９）。また、このとき、必要であれば４番目の領域の存在表示情報を記憶しておく。【００７９】
そして、２回目に光ディスクが挿入されると、１番目のユーザデータエリアに記録されている識別情報を取得し、前回最終領域を検索した光ディスクであることを特定すると（ステップＳ１３、Ｓ５３：ＹＥＳ）、前回検索時の最終領域である４番目の領域の存在表示情報に基づいて当該領域が光ディスク上に存在すると判定したときには（ステップＳ１６、Ｓ５６：ＹＥＳ）、４番目の領域からＮ番目の領域まで、次領域の開始アドレス等を取得していき、Ｎ番目の領域からファイルシステム情報等を取得する（ステップＳ１８、Ｓ５８）。【００８０】
再生方法、光ディスクの種類等にもよるが、光ディスクの再生のためにファイルシステム情報さえ取得できれば良いのであれば、当該情報が記録されているＮ番目の領域が検索できれば良いし、各領域の情報が必要であれば、フラッシュメモリ５に記憶されている１番目から４番目までの各領域の情報に加えて、新たに５番目以降の領域の情報を取得できれば良い。【００８１】
従って、本実施形態に係る光ディスク再生装置であれば、図５（ｂ）に示すように、１番目から４番目までの各領域の情報を再度取得する必要が無い分、光ディスクに対するアクセス回数が減少するのである。  【００８２】
以上説明したように、本実施形態によれば、システム制御部６が、光ディスクＤの最終領域を検索したときに、当該領域の開始アドレス等をフラッシュメモリ５に記憶しておき、再び光ディスクＤが挿入されて新たに最終領域を検索するときに、前回検索された最終領域が当該光ディスクＤ上に存在するか否かを、フラッシュメモリ５に記憶された最終領域の開始アドレスに基づいて判定し、前回検索された最終領域が当該光ディスクＤ上に存在すると判定したときには、次領域の開始アドレス等の取得を、前回検索された最終領域から開始して、最終領域を検索するようにしたので、光ディスクＤに対するアクセス回数が減少して、光ディスクの再生に必要な情報を取得するための所要時間を短縮することができる。【００８３】
また、システム制御部６は、前回最終領域が検索された光ディスクＤに存在表示情報が記録された位置を、フラッシュメモリ５に記憶された最終領域の開始アドレスに基づいて特定し、新たに最終領域が検索される光ディスクＤにおける当該特定された位置に記録されている情報に基づいて、前回検索された最終領域が当該光ディスクＤ上に存在するか否かを判定するようにしたので、当該最終領域が存在しているか否かを確実に判定することができる。【００８４】
更に、システム制御部６は、光ディスクＤに記録されている識別情報を、最終領域の開始アドレスを含むボーダー情報等と対応付けてフラッシュメモリ５に記憶しておき、新たに最終領域が検索される光ディスクＤに記録されている識別情報がフラッシュメモリ５に記憶されていると判定した場合には、当該識別情報に対応するボーダー情報等に基づいて、最終領域が存在しているか否かを判定するようにしたので、複数の光ディスクＤに対応して、再生に必要な情報を取得するための所要時間を短縮することができる。【００８５】
なお、以上説明した実施形態においては、本願を、マルチボーダー方式で記録されたＤＶＤ−Ｒ，ＤＶＤ−ＲＷ及びマルチセッション方式で記録されたＣＤ−Ｒ，ＣＤ−ＲＷから記録情報を再生する光ディスク再生装置に適用したが、これらに限られるものではなく、例えば、マルチセッション方式で記録されたＤＶＤ＋Ｒ，＋ＲＷや、その他の光ディスク（例えば、ＢＤ（Blue-ray Disc）やＨＤＤＶＤ（登録商標））、あるいは、光ディスク以外の記録媒体（例えば、ハードディスク、フラッシュメモリ、ＭＴ（Magnetic Tape）等）から記録情報を再生する情報再生装置等に適用することもできる。また、例えば、これらの記録媒体に対して情報の記録を行う情報記録装置等に適用しても良い。【００８６】
なお、本発明は、上記実施形態に限定されるものではない。上記実施形態は、例示であり、本発明の請求の範囲に記載された技術的思想と実質的に同一な構成を有し、同様な作用効果を奏するものは、いかなるものであっても本発明の技術的範囲に包含される。【００８７】
また、２００５年１２月２８日に出願された明細書、特許請求の範囲、図面、要約を含む日本の特許出願（No.2005-379296）の全ての開示は、その全てを参照することよって、ここに組み込まれる。
【図１】
2007074618.tif 000003
【図２】
2007074618.tif 000004
【図３】
2007074618.tif 000005
【図４】
2007074618.tif 000006
【図５】
2007074618.tif 000007
【国際調査報告】
2007074618.tif 000008
2007074618.tif 000009